(57)【要約】  本発明は、帽子取付型頭皮及び頭髪管理器に関し、複数の発光素子が実装された軟性材料の印刷回路基板部と；前記印刷回路基板を包み込む収納カバー部と；を含み、帽子の内側に挿入される構成を有している。
2021520454.tif 000002
【特許請求の範囲】
【請求項１】
複数の発光素子が実装された軟性材料の印刷回路基板部と；
前記印刷回路基板を包み込む収納カバー部と；を含み、
帽子の内側に挿入される帽子取付型頭皮及び頭髪管理器。
【請求項２】
前記印刷回路基板部は、
前記帽子の内側において前記印刷回路基板部の弾力により支持される請求項１に記載の帽子取付型頭皮及び頭髪管理器。
【請求項３】
前記複数の発光素子に電力を供給するバッテリと；
前記印刷回路基板部上に形成され、前記バッテリに印加される電源を供給する充電端子と；をさらに含む請求項１に記載の帽子取付型頭皮及び頭髪管理器。
【請求項４】
前記複数の発光素子は、
前記印刷回路基板部上に配置されており、個々の発光素子別色温度が設定されて発光するか、同時に同じ色温度の光を発光するか、複数の色温度の光の中から選択される光を順次発光するか、または領域ごとに互いに異なる色温度の光を発光するように制御される請求項１に記載の帽子取付型頭皮及び頭髪管理器。
【請求項５】
前記印刷回路基板部は、
第１の領域と、前記第１の領域よりも狭い幅を有する第２の領域と、を含み、
前記充電端子は、
前記第２の領域の長手方向上において、前記第１の領域が形成される一方の端に対する他方の端に配置される請求項３に記載の帽子取付型頭皮及び頭髪管理器。
【請求項６】
前記第１の領域と前記第２の領域との連結部に形成される凹入部をさらに含む請求項５に記載の帽子取付型頭皮及び頭髪管理器。
【請求項７】
前記充電端子の端子結合方向の左右に形成される切断溝部をさらに含む請求項３に記載の帽子取付型頭皮及び頭髪管理器。
【請求項８】
前記充電端子は、
前記印刷回路基板部上において前記切断溝部によって区切られて形成される充電端子パッド部上に実装される請求項７に記載の帽子取付型頭皮及び頭髪管理器。
【請求項９】
前記充電端子と前記充電端子パッド部とを取り囲んで固定する充電端子固定部材と；
前記充電端子パッド部の前記充電端子が実装される面の他方の面に形成されて、前記切断溝部及び前記充電端子固定部材の表面を覆うように取り付けられる保護パッド部と；をさらに含む請求項８に記載の帽子取付型頭皮及び頭髪管理器。
【請求項１０】
前記バッテリは、
フレキシブル（ｆｌｅｘｉｂｌｅ）バッテリで構成され、前記第２の領域の長手方向に沿って配置されて前記帽子の内部に支持される請求項３に記載の帽子取付型頭皮及び頭髪管理器。
【請求項１１】
前記印刷回路基板部は、
前記複数の発光素子を相互に連結する回路パターンの間の空間にそれぞれ形成される複数の通気性ホールをさらに含む請求項１に記載の帽子取付型頭皮及び頭髪管理器。
【請求項１２】
前記印刷回路基板部上に配置され、前記印刷回路基板部を保護する保護部をさらに含む請求項１に記載の帽子取付型頭皮及び頭髪管理器。
【請求項１３】
前記保護部は、
シリコン材料で構成され、前記印刷回路基板部上に配置されて、前記複数の発光素子を制御する発光制御部及び前記充電端子を保護する請求項１２に記載の帽子取付型頭皮及び頭髪管理器。
【請求項１４】
前記保護部は、
ステッカーで構成され、前記印刷回路基板上において前記複数の発光素子を制御する発光制御部又は前記印刷回路基板の全面に取り付けられる請求項１２に記載の帽子取付型頭皮及び頭髪管理器。
【請求項１５】
前記収納カバー部には、
前記発光素子からの光が透過される透過パターンが形成される請求項１に記載の帽子取付型頭皮及び頭髪管理器。
【請求項１６】
第１の領域と、前記第１の領域よりも狭い幅を有する第２の領域とを有する軟性材料の平面状ボディ部を有する印刷回路基板部と；
前記平面状ボディ部上に配置されて光を発光する複数の発光素子と；を含む帽子取付型頭皮管理器。
【請求項１７】
軟性材料の平面状ボディ部を有する印刷回路基板部と；
前記平面状ボディ部上に配置されて光を発光する複数の発光素子と；を含み、
前記平面状ボディ部は、
帽子の内部において前記平面状ボディ部の弾力により支持される帽子取付型頭皮管理器。
【発明の詳細な説明】
【技術分野】
【０００１】
本発明は、帽子取付型頭皮及び頭髪管理器に関する。
【背景技術】
【０００２】
最近では、環境的要因やストレス（ｓｔｒｅｓｓ）などにより脱毛症状と頭皮の問題に苦しんでいる人々が増えている。
【０００３】
それに応じて、脱毛の症状を治療するか、頭皮を管理することができる方法についての研究も盛んに行われており、脱毛防止のための管理への関心が増大し続けていて、脱毛関連市場は、男性化粧品市場規模よりも大きくなっている。
【０００４】
一般的に広く使用されている脱毛シャンプーの場合には、性能及び効果が乏しく、化学薬剤については、副作用の恐れが大きいという問題があり、失われた毛髪の代わりに毛髪を移植する手術も行われているが、これもコスト上の問題がある。
【０００５】
最近では、毛髪の損失、頭皮疾患などを治療するための方法の１つとして、光（Ｌｉｇｈｔ）を利用した方法が提案されている。光（Ｌｉｇｈｔ）を利用した方法は、特定の波長の光を所定時間、特定の部位に照射して細胞の能力を刺激することで毛髪、頭皮の治療及び管理に用いられる。
【０００６】
このように光（Ｌｉｇｈｔ）を利用した頭皮管理機器には、一般的に使用者が手で機器を持って所望の部位に光を照射する方式が使用されており、この場合は、使用者が所望の部位に光を安定的に照射しにくく、機器の利用中には他のことに気をつけることが難しいという問題がある。
【０００７】
このような光を利用した頭皮管理器として、使用者の頭に着用するヘルメット（ｈｅｌｍｅｔ）型または特定の場所に固定される高価な大型頭皮管理器が使用されている。
【０００８】
しかしながら、従来の脱毛及び頭皮管理器は、比較的高価であり、持ち運びが難しいだけでなく、外部に露出される形状であるので、他人の視線から自由でないなどの問題があり、このため、携帯性及び使用上の欠点がある。
【発明の概要】
【発明が解決しようとする課題】
【０００９】
本発明は、前述した問題を解決するために案出されたものであり、その目的は、特定の波長の光を発散するＬＥＤなどが取り付けられた可撓性基板からなる帽子取付型頭皮及び頭髪管理器を用いて、頭皮にＬＥＤ光を照射してミトコンドリアという細胞をして生体エネルギーを作らせることにより、細胞の老化を緩和し、損傷した細胞や組織を修復する効果を有するため、頭皮保護と脱毛防止を図る帽子取付型頭皮及び頭髪管理器を提供することである。
【００１０】
本発明は、高価な脱毛及び頭皮管理器ではなく、リーズナブルな価格で、持ち運びが簡単で、場所を問わずに使用可能であり、既存の一般的な帽子に結合して使用することができ、外部に見えないようにして使用利便性を向上させた頭皮管理器を提供しようとする。
【００１１】
また、本発明は、脱毛患者の大多数を占める脱毛症状である「Ｍ」字型脱毛と円形脱毛に対応して額上部及び頭頂部を集中管理する、最適化された脱毛管理器能を提供しようとする。
【００１２】
また、本発明は、軟性材料の平面状ボディ部に形成される充電端子の周辺に切断溝部を形成し、充電端子固定部材を用いた補強により、充電端子が平面状ボディ部から分離されて破損したり、接触不良が発生したりすることを防止し、さらに保護パッド部により前記充電端子を安定的に固定することで、構造的安定性及び使用利便性を共に提供しようとする。
【００１３】
また、本発明に係る帽子取付型頭皮及び頭髪管理器は、ＡＰＴ（生体エネルギー）により頭皮細胞の老化を防ぎ、損傷した細胞や組織を修復することで、表皮の再生、発毛、炎症抑制、皮脂分泌抑制、殺菌などの効果を提供しようとする。
【課題を解決するための手段】
【００１４】
前述した問題を解決するための本発明の一実施形態に係る帽子取付型頭皮及び頭髪管理器は、複数の発光素子が実装された軟性材料の印刷回路基板部と；前記印刷回路基板を包み込む収納カバー部と；を含み、帽子の内側に挿入される。
【００１５】
本発明の他の一実施形態によれば、前記印刷回路基板部は、前記帽子の内側において前記印刷回路基板部の弾力に支持されてもよい。
【００１６】
本発明の他の一実施形態によれば、前記複数の発光素子に電力を供給するバッテリと；前記印刷回路基板部上に形成され、前記バッテリに印加される電源を供給する充電端子と；をさらに含む。
【００１７】
本発明の他の一実施形態によれば、前記複数の発光素子は、前記印刷回路基板部上に配置されており、個々の発光素子別色温度が設定されて発光するか、同時に同じ色温度の光を発光するか、複数の色温度の光の中から選択される光を順次発光するか、または領域ごとに互いに異なる色温度の光を発光するように制御されてもよい。
【００１８】
本発明の他の一実施形態によれば、前記印刷回路基板部は、第１の領域と、前記第１の領域よりも狭い幅を有する第２の領域と、を含み、前記充電端子は、前記第２の領域の長手方向上において、前記第１領域が形成される一方の端に対する他方の端に配置されてもよい。
【００１９】
本発明の他の一実施形態によれば、前記第１の領域と前記第２の領域との連結部に形成される凹入部をさらに含んでいてもよい。
【００２０】
本発明の他の一実施形態によれば、前記充電端子の端子結合方向の左右に形成される切断溝部をさらに含んでいてもよい。
【００２１】
本発明の他の一実施形態によれば、前記充電端子は、前記印刷回路基板部上において前記切断溝部によって区切られて形成される充電端子パッド部上に実装されてもよい。
【００２２】
本発明の他の一実施形態によれば、前記充電端子と前記充電端子パッド部とを取り囲んで固定する充電端子固定部材と；前記充電端子パッド部の前記充電端子が実装される面の他方の面に形成されて、前記切断溝部及び前記充電端子固定部材の表面を覆うように取り付けられる保護パッド部と；をさらに含んでいてもよい。
【００２３】
本発明の他の一実施形態によれば、前記バッテリは、フレキシブル（ｆｌｅｘｉｂｌｅ）バッテリで構成され、前記平面状ボディ部の前記第２の領域の長手方向に沿って配置されて前記帽子の内部に支持されてもよい。
【００２４】
本発明の他の一実施形態によれば、前記印刷回路基板部は、前記複数の発光素子を相互に連結する回路パターンの間の空間にそれぞれ形成される複数の通気性ホールをさらに含んでいてもよい。
【００２５】
本発明の他の一実施形態によれば、前記印刷回路基板部上に配置され、前記印刷回路基板部を保護する保護部をさらに含んでいてもよい。
【００２６】
本発明の他の一実施形態によれば、前記保護部は、シリコン材料で構成され、前記印刷回路基板部上に配置されて、前記複数の発光素子を制御する発光制御部及び前記充電端子を保護することができる。
【００２７】
本発明の他の一実施形態によれば、前記保護部は、ステッカーで構成され、前記印刷回路基板上において前記複数の発光素子を制御する発光制御部又は前記印刷回路基板の全面に取り付けられてもよい。
【００２８】
本発明の他の一実施形態によれば、前記収納カバー部には、前記発光素子からの光が透過される透過パターンが形成されてもよい。
【００２９】
本発明の他の一実施形態に係る帽子取付型頭皮及び頭髪管理器は、第１の領域と、前記第１の領域よりも狭い幅を有する第２の領域とを有する軟性材料の平面状ボディ部を有する印刷回路基板部と；前記平面状ボディ部上に配置されて光を発光する複数の発光素子と；を含む。
【００３０】
本発明の他の一実施形態に係る帽子取付型頭皮及び頭髪管理器は、軟性材料の平面状ボディ部を有する印刷回路基板部と；前記平面状ボディ部上に配置されて光を発光する複数の発光素子と；を含み、前記平面状ボディ部は、帽子の内部において前記平面状ボディ部の弾力により支持されてもよい。
【発明の効果】
【００３１】
本発明の一実施形態によれば、特定の波長の光を発散するＬＥＤなどが取り付けられた可撓性基板からなる帽子取付型頭皮及び頭髪管理器を用いて、頭皮にＬＥＤ光を照射してミトコンドリアという細胞をして生体エネルギーを作らせることにより、細胞の老化を緩和し、損傷した細胞や組織を修復する効果を有するため、頭皮保護と脱毛防止を図ることができる。
【００３２】
本発明の一実施形態によれば、高価な脱毛及び頭皮管理器ではなく、リーズナブルな価格で、持ち運びが簡単で、場所を問わずに使用可能であり、既存の一般的な帽子に結合して使用することができ、外部に見えないようにして使用利便性を向上させた頭皮管理器を提供することができる。
【００３３】
また、本発明の一実施形態によれば、脱毛患者の大多数を占める脱毛症状である「Ｍ」字型脱毛と円形脱毛に対応して額上部及び頭頂部を集中管理する、最適化された脱毛管理器能を提供することができる。
【００３４】
また、本発明の一実施形態によれば、軟性材料の平面状ボディ部に形成される充電端子の周辺に切断溝部を形成し、充電端子固定部材を用いた補強により、充電端子が平面状ボディ部から分離されて破損したり、接触不良が発生したりすることを防止することができ、さらに保護パッド部により前記充電端子を安定的に固定することで、構造的安定性及び使用利便性を提供することができる。
【００３５】
本発明の一実施形態に係る帽子取付型頭皮及び頭髪管理器によれば、ＡＰＴ（生体エネルギー）により頭皮細胞の老化を防ぎ、損傷した細胞や組織を修復することで、表皮の再生、発毛、炎症抑制、皮脂分泌抑制、殺菌などの効果を期待することができる。
【図面の簡単な説明】
【００３６】
【図１】本発明の一実施形態に係る帽子取付型頭皮及び頭髪管理器を説明するための図である。
【図２】本発明の一実施形態に係る帽子取付型頭皮及び頭髪管理器の斜視図である。
【図３】本発明の一実施形態に係る帽子取付型頭皮及び頭髪管理器の正面図である。
【図４】本発明の一実施形態に係る帽子取付型頭皮及び頭髪管理器の背面図である。
【図５】本発明の一実施形態に係る帽子取付型頭皮及び頭髪管理器の側面図である。
【図６】本発明の他の一実施形態に係る帽子取付型頭皮及び頭髪管理器を示す図である。
【図７】本発明の一実施形態に係る、青色光を照射する帽子取付型頭皮及び頭髪管理器を示す図である。
【図８】本発明の一実施形態に係る、赤色光を照射する帽子取付型頭皮及び頭髪管理器を示す図である。
【図９】本発明の一実施形態に係る、赤外線を照射する帽子取付型頭皮及び頭髪管理器を示す図である。
【図１０】本発明の一実施形態に係る、赤外光と赤外線を照射する帽子取付型頭皮及び頭髪管理器を示す図である。
【図１１】本発明の他の一実施形態に係る帽子取付型頭皮及び頭髪管理器の概念を説明するための図である。
【図１２】本発明の他の一実施形態に係る帽子取付型頭皮及び頭髪管理器の斜視図である。
【図１３】本発明の他の一実施形態に係る帽子取付型頭皮及び頭髪管理器の正面図である。
【図１４】本発明の他の一実施形態に係る帽子取付型頭皮及び頭髪管理器のＡ方向からの側面図である。
【図１５】本発明の他の一実施形態に係る帽子取付型頭皮及び頭髪管理器の背面図である。
【図１６】本発明の他の一実施形態に係る、保護パッド部が結合する帽子取付型頭皮及び頭髪管理器の斜視図である。
【図１７】本発明の他の一実施形態に係る帽子取付型頭皮及び頭髪管理器の保護パッド部の斜視図である。
【図１８】本発明の他の一実施形態に係る帽子取付型頭皮及び頭髪管理器の保護パッド部の斜視図である。
【図１９】本発明のまた他の一実施形態に係る、保護パッド部が結合する帽子取付型頭皮及び頭髪管理器の斜視図である。
【図２０】本発明のまた他の一実施形態に係る帽子取付型頭皮及び頭髪管理器の保護パッド部の斜視図である。
【図２１】本発明のまた他の一実施形態に係る帽子取付型頭皮及び頭髪管理器の保護パッド部の斜視図である。
【図２２】本発明の一実施形態に係る、青色光を照射する帽子取付型頭皮及び頭髪管理器を示す図である。
【図２３】本発明の一実施形態に係る、赤色光を照射する帽子取付型頭皮及び頭髪管理器を示す図である。
【図２４】本発明の一実施形態に係る、赤外線を照射する帽子取付型頭皮及び頭髪管理器を示す図である。
【図２５】本発明の一実施形態に係る、赤色光と赤外線を照射する帽子取付型頭皮及び頭髪管理器を示す図である。
【図２６】本発明の一実施形態に係る帽子取付型頭皮及び頭髪管理器を帽子に適用した一例を示す図である。
【図２７】本発明の一実施形態に係る帽子取付型頭皮及び頭髪管理器の使用による効果を説明するための図である。
【発明を実施するための形態】
【００３７】
以下、添付した図面を参照して本発明の好ましい実施形態を詳細に説明する。本発明を説明するに当たって、関連した公知機能または構成に対する具体的な説明が本発明の要旨を曖昧にすることがあると判断される場合、その詳細な説明は省略する。また、図面での各構成要素のサイズは説明のために誇張することがあり、実際に適用されるサイズを意味するものではない。
【００３８】
図１は、本発明の一実施形態に係る帽子取付型頭皮及び頭髪管理器を説明するための図であり、図２は、本発明の一実施形態に係る帽子取付型頭皮及び頭髪管理器の斜視図である。
【００３９】
また、図３は、本発明の一実施形態に係る帽子取付型頭皮及び頭髪管理器の正面図であり、図４は、本発明の一実施形態に係る帽子取付型頭皮及び頭髪管理器の背面図であり、図５は、本発明の一実施形態に係る帽子取付型頭皮及び頭髪管理器の側面図である。
【００４０】
以下では、図１〜図５を参照して、本発明の一実施形態に係る帽子取付型頭皮及び頭髪管理器を説明する。
【００４１】
図１に示すように、本発明の一実施形態に係る帽子取付型頭皮及び頭髪管理器１００は、帽子２００に取り付けて使用できる頭皮及び頭髪管理器であって、一般的な帽子２００に容易に着脱可能な形状で構成されており、持ち運びが簡単で、場所を問わずに使用できる。
【００４２】
一方、本発明の一実施形態に係る帽子２００は、使用者の頭部に着用可能なものであって、帽子の種類に限定されず、様々な種類の帽子が使用でき、より具体的に、帽子取付型頭皮及び頭髪管理器１００が挿入または取り付け可能なキャップ（Ｃａｐ）、ハット（Ｈａｔ）、ビーニー（Ｂｅａｎｉｅ）、ボンネット（Ｂｏｎｎｅｔ）、フード（Ｈｏｏｄ）などの様々な帽子が使用できる。
【００４３】
図２〜図５を参照すると、本発明の一実施形態に係る帽子取付型頭皮及び頭髪管理器１００は、印刷回路基板部１１０及び複数の発光素子１２０を含んで構成される。
【００４４】
印刷回路基板部１１０は、平面状ボディ部を有する印刷回路基板（ＦＰＣＢ）であって、帽子２００の内部の接触面に容易に密着できるように軟性材料で構成されてもよく、より具体的には軟性印刷回路基板で構成されてもよい。
【００４５】
また、印刷回路基板部１１０は、前記帽子２００の内部により容易に取り付けられるために、第１の領域１１１と第２の領域１１５とに区切られる「Ｔ」字型に形成されてもよく、前記第２の領域１１５は、前記第１の領域１１１よりも狭い幅を有してもよい。
【００４６】
このとき、図３に示すように、印刷回路基板部１１０には、前記第１、２の領域１１１、１１５の端部であって、帽子２００の内側に決着する決着部１１２、１１６が形成されてもよく、前記決着部１１２、１１６は、帽子２００の挿入部に挿入されるか、簡単に着脱可能なようにベルクロ（登録商標）素材で形成されて帽子２００のベルクロ（登録商標）部に決着されてもよい。
【００４７】
また、前記第１の領域１１１と前記第２の領域１１５との連結部には凹入部１１９が形成されることで、前記第１の領域１１１と前記第２の領域１１５との連結部位がより容易に変形または可撓する機能を提供することができる。
【００４８】
のみならず、前記印刷回路基板部１１０には、複数の通気性ホール１３０が形成されてもよい。前記通気性ホール１３０は、複数の発光素子１２０間の空間に形成されて通気性を確保し、発光素子１２０からの熱を効果的に放出するとともに、印刷回路基板部１１０の軽量化を実現することができる。
【００４９】
このように構成される印刷回路基板部１１０上には複数の発光素子１２０が配置されてもよい。
【００５０】
複数の発光素子１２０は、前記印刷回路基板部１１０上に一定の間隔で均等に配置されてもよく、必要に応じて使用者の頭皮領域に対応するように配置されてもよい。
【００５１】
例えば、前記複数の発光素子１２０は、使用者の頭皮に光を万篇なく照射できるように、印刷回路基板部１１０上に均一な間隔で配置されてもよく、「Ｍ」字型脱毛または円形脱毛に適するように、印刷回路基板部１１０上において使用者の額上部または頭頂部に対応する位置に配置されてもよい。
【００５２】
一方、複数の発光素子１２０は、頭皮及び頭髪管理器の小型化のためにマイクロＬＥＤで構成されてもよい。前記複数のそれぞれの発光素子１２０は、複数の色温度の光を発光するように構成されて、個々の発光素子別色温度が設定されて発光するか、同時に同じ色温度の光を発光するか、複数の色温度の光の中から選択される光を順次発光するか、または領域ごとに互いに異なる色温度の光を発光することができる。
【００５３】
より具体的には、複数の発光素子１２０は、青色光、赤色光、赤外線の順に循環しながら発光することができ、前記複数の発光素子１２０は、波長が４０５ｎｍ〜４１５ｎｍである青色光、波長が６５０ｎｍ〜６６０ｎｍである赤色光、または波長が８４０ｎｍ〜８５０ｎｍである光を照射するように構成されてもよい。
【００５４】
すなわち、前記複数の発光素子１２０は、制御に応じて、すべて同じ色温度の光を発光するか、それぞれ青色光、赤色光または赤外線を順次照射するか、または領域ごとにそれぞれ青色光、赤色光または赤外線を照射するように構成されてもよい。
【００５５】
また、本発明の一実施形態に係る帽子取付型頭皮及び頭髪管理器１００は、発光素子１２０の動作を制御する発光制御部１４０と、素子１２０に電源を供給するバッテリ１５０とをさらに含んで構成されてもよい。
【００５６】
前記制御部１４０は、前記複数の発光素子１２０の動作を制御することができる。
【００５７】
また、前記制御部１４０は、使用者の制御コマンドにより前記複数の発光素子１２０のうちから必要な部分の発光素子１２０のみが動作するように制御して、使用者の頭皮領域に合わせた頭皮管理を提供することができる。
【００５８】
のみならず、使用者が希望する頭皮管理機能を選択すると、前記制御部１４０は、それに相応した頭皮管理機能を提供するために、各発光素子１２０が事前に設定された波長の光を照射するように構成されてもよい。
【００５９】
例えば、使用者が表皮再生機能を選択すると、前記制御部１４０は青色光の発光素子１２０が動作するように制御することができ、使用者が発毛効果機能を選択すると、前記制御部１４０は赤色光の発光素子１２０が動作するように制御することができ、使用者が皮膚弾力機能を選択すると、前記制御部１４０は赤外線光の発光素子１２０が動作するように制御することができる。
【００６０】
また、本発明の一実施形態に係る帽子取付型頭皮及び頭髪管理器１００は、前記バッテリ１５０が曲がりやすいフレキシブル（ｆｌｅｘｉｂｌｅ）バッテリで構成されてもよく、このようなバッテリ１５０を充電するために端子１４１を含んでいてもよい。
【００６１】
それだけでなく、本発明の一実施形態に係る帽子取付型頭皮及び頭髪管理器１００は、前記バッテリ１５０をより容易に充電するために、無線充電部（図示せず）をさらに含んで構成されてもよい。
【００６２】
このように帽子取付型頭皮及び頭髪管理器１００に充電部（図示せず）をさらに含んで構成する場合には、使用者が帽子取付型頭皮及び頭髪管理器１００を無線充電部上に位置させるだけで非常に容易に充電できるという利点がある。
【００６３】
図６は、本発明の他の一実施形態に係る帽子取付型頭皮及び頭髪管理器を示す図である。
【００６４】
以下では、図６を参照して、本発明の他の一実施形態に係る帽子取付型頭皮及び頭髪管理器を説明する。
【００６５】
図１の実施形態と同様に、図６の実施形態においても、帽子取付型頭皮及び頭髪管理器１００は、印刷回路基板部１１０及び複数の発光素子１２０を含んで構成され、印刷回路基板部１１０は、帽子２００の内部の接触面に容易に密着できるように軟性材料で構成されてもよい。
【００６６】
また、印刷回路基板部１１０の第１，２領域１１１、１１５の連結部には、凹入部１１９が形成されてもよく、前記印刷回路基板部１１０には、青色ＬＥＤ、赤色ＬＥＤまたは赤外線ＬＥＤを含む複数の発光素子１２０が配置されてもよく、複数の通気性ホール１３０が形成されてもよい。
【００６７】
このとき、図６の実施形態では、微細冷媒流路１６０が形成されてもよい。
【００６８】
本発明の一実施形態に係る前記微細冷媒流路１６０は、帽子取付型頭皮及び頭髪管理器１１０が発光素子１２０または使用者の体温により過度に過熱されることを防止する機能を提供することができ、前記微細冷媒流路１６０は、より効果的な過熱防止または冷却のために、通気性ホール１３０と複数の発光素子１２０間の空間に形成されてもよい。
【００６９】
より詳細に説明すると、複数の通気性ホール１３０が複数の発光素子１２０間の空間に形成され、微細冷媒流路１６０は、前記通気性ホール１３０と前記複数の発光素子１２０間の空間に形成されることで、発光素子１２０から発生する熱を通気性ホール１３０に伝達して冷却機能を最大化することができる。
【００７０】
このように、図６の実施形態では、微細冷媒流路１６０を微細に構成するとともに、最小の冷媒だけで必要冷却機能を提供し得るので、帽子取付型頭皮及び頭髪管理器１００をよりスリム（ｓｌｉｍ）に構成することができるという利点がある。
【００７１】
図７は、本発明の一実施形態に係る、青色光を照射する帽子取付型頭皮及び頭髪管理器を示す図であり、図８は、本発明の一実施形態に係る、赤色光を照射する帽子取付型頭皮及び頭髪管理器を示す図であり、図９は、本発明の一実施形態に係る、赤外線を照射する帽子取付型頭皮及び頭髪管理器を示す図であり、図１０は、本発明の一実施形態に係る、赤色光と赤外線を照射する帽子取付型頭皮及び頭髪管理器を示す図である。
【００７２】
図７〜図１０を参照すると、本発明の一実施形態に係る帽子取付型頭皮及び頭髪管理器は、複数の発光素子が青色光、赤色光または赤外線を照射するか、赤色光と赤外線を同時に照射することができる。
【００７３】
このような発光素子の動作時には、青色光、赤色光、赤外線、赤色光と赤外線を、必要に応じてそれぞれの光を照射するか、各光を順次照射することができる。
【００７４】
このとき、図１０に示すように、使用者の選択に応じて、赤色光と赤外線を同時に照射することができる。
【００７５】
図１１は、本発明の他の一実施形態に係る帽子取付型頭皮及び頭髪管理器の概念を説明するための図であり、図１２は、本発明の他の一実施形態に係る帽子取付型頭皮及び頭髪管理器の斜視図である。
【００７６】
また、図１３は、本発明の他の一実施形態に係る帽子取付型頭皮及び頭髪管理器の正面図であり、図１４は、本発明の他の一実施形態に係る帽子取付型頭皮及び頭髪管理器のＡ方向からの側面図であり、図１５は、本発明の他の一実施形態に係る帽子取付型頭皮及び頭髪管理器の背面図である。
【００７７】
以下では、図１１〜図１５を参照して、本発明の他の一実施形態に係る帽子取付型頭皮及び頭髪管理器を説明する。
【００７８】
図１１に示すように、本発明の他の実施形態に係る帽子取付型頭皮及び頭髪管理器１００は、帽子２００に取り付けて使用できる頭皮及び頭髪管理器であって、一般的な帽子２００に容易に着脱可能な形状で構成されており、持ち運びが簡単で、場所を問わずに使用できる。
【００７９】
図１２〜図１５を参照すると、本発明の他の一実施形態に係る帽子取付型頭皮及び頭髪管理器１００は、印刷回路基板部１１０及び複数の発光素子１２０を含んで構成される。
【００８０】
前記複数の発光素子１２０は、個々の発光素子別に色温度が設定されて発光するか、同時に同じ色温度の光を発光するか、複数の色温度の光の中から選択される光を順次発光するか、または領域ごとに互いに異なる色温度の光を発光するように制御することができる。
【００８１】
印刷回路基板部１１０は、帽子２００の内部の接触面に容易に密着できるように軟性材料で構成されてもよく、より具体的に、平面状ボディ部からなる軟性回路基板（ＦＰＣＢ：Ｆｌｅｘｉｂｌｅ  Ｐｒｉｎｔｅｄ  Ｃｉｒｃｕｉｔ  Ｂｏａｒｄ）で構成されていて、前記印刷回路基板部１１０は、前記帽子２００の内側において前記印刷回路基板部１１０そのものの弾力により前記帽子２００の内部に支持され得る。
【００８２】
また、印刷回路基板部１１０は、前記帽子２００の内部により容易に取り付けられるように、第１の領域１１１と第２の領域１１５とに区切られる「Ｔ」字型に形成されてもよく、前記第２の領域１１５は、前記第１の領域１１１よりも狭い幅を有しても良い。
【００８３】
また、前記第１の領域１１１と前記第２の領域１１５との連結部には凹入部１１９が形成されることで、前記第１の領域１１１と前記第２の領域１１５との連結部位がより容易に変形または可撓する機能を提供することができる。
【００８４】
このとき、前記印刷回路基板部１１０は、帽子の内部において前記印刷回路基板部１１０そのものの弾力により支持され得る。
【００８５】
のみならず、前記印刷回路基板部１１０には、複数の通気性ホール１３０が形成されてもよい。前記通気性ホール１３０は、複数で構成されており、多数の発光素子１２０を相互に連結する回路パターンの間の空間にそれぞれ形成されてもよい。
【００８６】
このように構成される印刷回路基板部１１０上には、複数の発光素子１２０が配置されてもよい。
【００８７】
複数の発光素子１２０は、前記印刷回路基板部１１０上に一定の間隔で均等に配置されてもよく、必要に応じて使用者の頭皮領域に対応するように配置されてもよい。
【００８８】
例えば、前記複数の発光素子１２０は、使用者の頭皮に光を満遍なく照射できるように、印刷回路基板部１１０上に均一な間隔で配置されてもよく、「Ｍ」字型脱毛または円形脱毛に適するように、印刷回路基板部１１０上において使用者の額上部または頭頂部に対応する位置に配置されてもよい。
【００８９】
一方、複数の発光素子１２０は、頭皮及び頭髪管理器の小型化のためにマイクロＬＥＤで構成でき、前記複数のそれぞれの発光素子１２０は、複数の色温度の光を発光できるように構成されており、同時に同じ色温度の光を発光することができ、このとき、複数の色温度の光の中から選択される光を順次発光することができる。
【００９０】
より具体的には、複数の発光素子１２０は、青色光、赤色光、赤外線の順に循環しながら発光することができ、前記複数の発光素子１２０は、波長が４０５ｎｍ〜４１５ｎｍである青色光、波長が６５０ｎｍ〜６６０ｎｍである赤色光、または波長が８４０ｎｍ〜８５０ｎｍである光の中から選択される光を照射するように構成でき、このような複数の種類の光を順次発光することができる。
【００９１】
また、本発明の他の実施形態に係る帽子取付型頭皮及び頭髪管理器１００は、発光素子１２０の動作を制御する発光制御部１４０と、発光素子１２０に電源を供給するバッテリ１５０と、前記バッテリ１５０に電源を印加する充電端子１６０とをさらに含んで構成されてもよい。
【００９２】
前記制御部１４０は、前記複数の発光素子１２０の動作を制御することができ、より具体的には、青色、赤色または赤外線の光を照射するそれぞれの発光素子１２０の動作を制御したり、前記各発光素子１２０が特定の色の光を順次照射するように制御したりすることができる。
【００９３】
また、前記制御部１４０は、使用者の制御コマンドにより前記複数の発光素子１２０の中から必要な部分の発光素子１２０のみが動作するように制御することで、使用者の頭皮領域に合わせた頭皮管理を提供することができる。
【００９４】
それだけでなく、使用者が希望する頭皮管理機能を選択すると、前記制御部１４０は、それに相応した頭皮管理機能を提供するために、各発光素子１２０が事前に設定された波長の光を照射するように構成されてもよい。
【００９５】
例えば、使用者が表皮再生機能を選択すると、前記制御部１４０は青色光の発光素子１２０が動作するように制御することができ、使用者が発毛効果機能を選択すると、前記制御部１４０は赤色光の発光素子１２０が動作するように制御することができ、使用者が皮膚弾力機能を選択すると、前記制御部１４０は赤外線光の発光素子１２０が動作するように制御することができ、前記制御部１４０の制御により複数の色の光を順次照射するように制御することができる。
【００９６】
また、本発明の他の実施形態に係る帽子取付型頭皮及び頭髪管理器１００は、前記バッテリ１５０が曲がりやすいフレキシブル（ｆｌｅｘｉｂｌｅ）バッテリで構成されてもよく、前記印刷回路基板部１１０の弾性と前記フレキシブルバッテリの自体弾性とにより帽子内部で支持されて取り付けられてもよい。
【００９７】
このとき、前記バッテリ１５０は、前記印刷回路基板部１１０の第２の領域１１５の長手方向に沿って配置されて帽子の内部に支持され得る。
【００９８】
本発明の他の実施形態によれば、このように構成されるバッテリ１５０を充電するために充電端子１６０を含んでいてもよい。
【００９９】
図１２を参照すると、前記充電端子１６０は、前記印刷回路基板部１１０上に形成され、前記バッテリ１５０に印加される電源を供給し、より具体的には、前記充電端子１６０は、前記第２の領域１１５の長手方向上に形成されるが、前記第１の領域１１１が形成される一方の端に対する他方の端上に形成されてもよい。
【０１００】
このとき、図１３及び図１４を参照すると、前記印刷回路基板部１１０には、充電端子１６０の周りに切断溝部１１７が形成されてもよい。
【０１０１】
すなわち、前記切断溝部１１７は、前記充電端子１６０の端子結合方向の左右に形成されてよく、それに応じて前記充電端子１６０は、前記印刷回路基板部１１０上において前記切断溝部１１７により区切られて形成される充電端子パッド部１１０ａ上に実装されてもよい。
【０１０２】
また、テープ状の充電端子固定部材１６５により前記充電端子１６０と前記充電端子パッド部１１０ａとを取り囲んで固定することができ、シリコン材料の保護パッド部１７０が、充電端子パッド部１１０ａの充電端子１６０が実装される面の他方の面に形成されて、前記切断溝部１１７及び前記充電端子固定部材１６５の表面を覆うように取り付けられることで、前記充電端子１６０を固定することができる。
【０１０３】
したがって、本発明の他の実施形態によれば、切断溝部１１７及び充電端子固定部材１６５により、充電端子１６０が印刷回路基板部１１０から分離されて破損したり、接触不良が発生したりすることを防止することができ、さらに保護パッド部１７０により前記充電端子１６０を安定的に固定することで、構造的安定性及び用利便性を提供することができる。
【０１０４】
図１５を参照すると、バッテリ１５０は、曲がりやすいフレキシブル（ｆｌｅｘｉｂｌｅ）バッテリで構成され、印刷回路基板部１１０の背面に取り付けられてもよい。
【０１０５】
より具体的には、使用者の帽子取付型頭皮及び頭髪管理器１００の着用時の利便性とフィット感のために、前記バッテリ１５０は、前記印刷回路基板部１１０の第２の領域１１５の長手方向に沿って配置されてもよい。
【０１０６】
また、前記印刷回路基板部１１０には、複数の通気性ホール１３０が形成されてもよい。前記通気性ホール１３０は、複数の発光素子１２０を相互に連結する回路パターン１２１の間の空間にそれぞれ形成されて通気性を確保し、発光素子１２０からの熱を効果的に放出すると共に、印刷回路基板部１１０の軽量化を実現することができる。
【０１０７】
図１６は、本発明の他の一実施形態に係る、保護パッド部が結合する帽子取付型頭皮及び頭髪管理器の斜視図であり、図１７及び図１８は、本発明の他の一実施形態に係る帽子取付型頭皮及び頭髪管理器の保護パッド部の斜視図である。
【０１０８】
図１６を参照すると、本発明の他の一実施形態に係る帽子取付型頭皮及び頭髪管理器１００は、保護部１８０が結合してもよい。
【０１０９】
前記保護部１８０は、シリコン材料で構成され、外部からの衝撃から前記印刷回路基板部１１０を保護し、前記印刷回路基板部１１０上に配置されて印刷回路基板１１０を保護することができる。
【０１１０】
このとき、前記保護部１８０は、前記印刷回路基板部１１０上に配置され、前記複数の発光素子１２０を制御する発光制御部１４０と前記充電端子１６０を保護することができる。
【０１１１】
図１７は、前記保護部１８０の前面を示しており、図１８は、前記保護部１８０の背面を示している。
【０１１２】
図１７及び図１８を参照すると、前記保護部１８０は、ボディ１８１と、充電端子１６０を保護する端子保護部１８２と、発光制御部１４０の素子を保護する素子保護部１８３とを含んで構成され、前記保護部１８０を、前記印刷回路基板部１１０上に固定するための決着部１８４をさらに含んで構成されてもよい。
【０１１３】
図１９は、本発明のまた他の一実施形態に係る、保護パッド部が結合する帽子取付型頭皮及び頭髪管理器の斜視図であり、図２０及び図２１は、本発明のまた他の一実施形態に係る帽子取付型頭皮及び頭髪管理器の保護パッド部の斜視図である。
【０１１４】
図１９を参照すると、本発明の他の一実施形態に係る帽子取付型頭皮及び頭髪管理器１００において、保護部１９５は、ステッカーで構成され、前記印刷回路基板上において前記複数の発光素子を制御する発光制御部１４０または前記印刷回路基板１１０の全面に取り付けられて前記印刷回路基板１１０を保護することができる。
【０１１５】
図２０を参照すると、より円滑に取り付けるために、前記ステッカー型の保護部１９５には、充電端子１６０と素子が挿入される貫通ホール１９７が形成されてもよい。
【０１１６】
また、図２１を参照すると、印刷回路基板１１０のより広い面積の保護とより強固な取り付けのために、ステッカー型の保護部１９５には、多数の翼部１９６が形成されてもよい。
【０１１７】
図２２〜図２５は、本発明の一実施形態に係る帽子取付型頭皮及び頭髪管理器の実物を示す図であり、より詳細には、図２２は、本発明の一実施形態に係る、青色光を照射する帽子付き型頭皮及び頭髪管理器を示す図であり、図２３は、本発明の一実施形態に係る、赤色光を照射する帽子取付型頭皮及び頭髪管理器を示す図であり、図２４は、本発明の一実施形態に係る、赤外線を照射する帽子取付型頭皮及び頭髪管理器を示す図であり、図２５は、本発明の一実施形態に係る、赤色光と赤外線を照射する帽子取付型頭皮及び頭髪管理器を示す図である。
【０１１８】
図２２〜図２５に示すように、本発明の一実施形態に係る帽子取付型頭皮及び頭髪管理器１００は、収納カバー部１９０内に収納されてもよい。
【０１１９】
収納カバー部１９０は、帽子取付型頭皮及び頭髪管理器１００を収納することにより、印刷回路基板部１１０、発光素子１２０、制御１４０及びバッテリ１５０などの構成要素が外部に露出されることを防止して保護するとともに、美観を向上させる機能を提供する。
【０１２０】
このとき、本発明の一実施形態によれば、前記収納カバー部１９０には、発光素子１２０から照射される光が透過される透過パターン１９１が形成されてもよい。
【０１２１】
前記透過パターン１９１は、複数の発光素子１２０に対応する部位に各発光素子１２０に一対一対応するように形成されてもよい。
【０１２２】
のみならず、本発明の他の一実施形態によれば、前記透過パターン１９１は、製造上の利便性と光透過性のために、複数の発光素子１２０の単位ごとに対応するように形成されてもよい。例えば、前記透過パターン１９１は、前記複数の発光素子１２０のグループに対応する領域または長手方向に形成されることで、多数の発光素子１２０から照射される光が前記透過パターン１９１を通じて透過できるように構成されてもよい。
【０１２３】
また、本発明の他の一実施形態によれば、前記透過パターン１９１は、収納カバー部１９０の表面を圧縮して生成した圧縮パターンとして形成されてもよい。このような圧縮パターン型透過パターンは、簡単な工程を経て形成されるもので、発光素子１２０からの光の透過率を上昇させることができるという効果を有する。
【０１２４】
併せて、本発明の他の一実施形態によれば、前記透過パターン１９１は、透明パターンとして形成されてもよく、このため、発光素子１２０からの光の透過率を最大化することができる。
【０１２５】
一方、図２２〜図２５を参照すると、本発明の一実施形態に係る帽子取付型頭皮及び頭髪管理器は、複数の発光素子が青色光、赤色光または赤外線を照射するか、赤色光と赤外線を共に照射することができる。
【０１２６】
このような発光素子の動作時には、青色光、赤色光、赤外線、赤色光と赤外線を、必要に応じてそれぞれの光を照射するか、各光を順次照射することができる。
【０１２７】
このとき、図２５に示すように、使用者の選択に応じて赤色光と赤外線を同時に照射することができる。
【０１２８】
図２６は、本発明の一実施形態に係る帽子取付型頭皮及び頭髪管理器を帽子に適用した一例を示す図であり、図２７は、本発明の一実施形態に係る帽子取付型頭皮及び頭髪管理器の使用による効果を説明するための図である。
【０１２９】
図２６に示すように、収納カバー部１９０内に収納された帽子取付型頭皮及び頭髪管理器１００を、帽子２００内に取り付けることができ、前記収納カバー部１９０と前記帽子取付型頭皮及び頭髪管理器１００は、両方とも柔軟な軟性材料からなるので、帽子２００の内面に沿って非常に容易に密着でき、外部に現れないため、場所を問わずに使用できる。
【０１３０】
図２７を参照すると、本発明の一実施形態に係る帽子取付型頭皮及び頭髪管理器は、波長が４０５ｎｍ〜４１５ｎｍである青色光３０１を照射するか、波長が６５０ｎｍ〜６６０ｎｍである赤色光３０２を照射することができ、また波長が８４０ｎｍ〜８５０ｎｍである赤外線３０３を照射することができる。
【０１３１】
人間の細胞内にはミトコンドリアという細胞の発電所があり、このミトコンドリアには光吸収体と呼ばれる物質があるので、このような光３０１、３０２、３０３を受け取ると、ミトコンドリアが活性化されてさらに多くのＡＰＴ（生体エネルギー）を作り出す。
【０１３２】
したがって、本発明の一実施形態に係る帽子取付型頭皮及び頭髪管理器を使用すると、ＡＰＴ（生体エネルギー）により頭皮細胞の老化を防止し、損傷した細胞と組織を修復するという効果を期待することができる。
【０１３３】
より具体的には、青色光３０１は、皮膚の上皮組織に吸収されてポルフィリンを刺激してバクテリアを壊滅させる機能を提供することにより、ニキビ菌殺菌、炎症抑制作用、皮脂腺収縮作用による皮脂分泌抑制、表皮再生作用などの効果を提供することができる。赤色光３０２は、皮膚の真皮組織まで浸透してコラーゲンとエラスチンを増加させることにより、ＦＧＦ（線維芽細胞成長因子であって、創傷治癒、細胞増殖を促進するタンパク質の一群）、Ｌｅｐｔｉｎ（代謝効率、活動量、末梢組織の免疫機能などに関与するホルモン）、ＶＦＧＦＲ（細胞分裂、大食細胞の活性化、血管新生に関与する受容体）などの成長因子を増大させ、新陳代謝の正常化、炎症抑制、頭皮コラーゲンの生産能力強化、毛髪の損失と薄毛化の防止、頭皮トラブルの防止、血流の増加、細胞増殖促進による発毛効果などを提供することができる。
【０１３４】
また、赤外線３０３は、皮膚の最も深い皮下脂肪まで浸透して皮膚再生を促すことで、痛みの緩和、皮膚弾力、皮膚が垂れて生じた毛穴、ほうれい線の改善、皮膚の代謝、発毛促進、表皮再生作用などを提供することができる。
【０１３５】
前述したような本発明の詳細な説明では具体的な実施形態について説明した。しかし、本発明の範囲から逸脱しない限度内で様々な変形が可能である。本発明の技術的思想は、本発明の前述した実施形態に限定して定められてはならず、特許請求の範囲だけでなく本特許請求の範囲と均等なものによって定められなければならない。
【図１】
2021520454.tif 000003
【図２】
2021520454.tif 000004
【図３】
2021520454.tif 000005
【図４】
2021520454.tif 000006
【図５】
2021520454.tif 000007
【図６】
2021520454.tif 000008
【図７】
2021520454.tif 000009
【図８】
2021520454.tif 000010
【図９】
2021520454.tif 000011
【図１０】
2021520454.tif 000012
【図１１】
2021520454.tif 000013
【図１２】
2021520454.tif 000014
【図１３】
2021520454.tif 000015
【図１４】
2021520454.tif 000016
【図１５】
2021520454.tif 000017
【図１６】
2021520454.tif 000018
【図１７】
2021520454.tif 000019
【図１８】
2021520454.tif 000020
【図１９】
2021520454.tif 000021
【図２０】
2021520454.tif 000022
【図２１】
2021520454.tif 000023
【図２２】
2021520454.tif 000024
【図２３】
2021520454.tif 000025
【図２４】
2021520454.tif 000026
【図２５】
2021520454.tif 000027
【図２６】
2021520454.tif 000028
【図２７】
2021520454.tif 000029
【国際調査報告】
2021520454.tif 000030
2021520454.tif 000031
2021520454.tif 000032
2021520454.tif 000033